(57)【要約】【課題】被測定者が高齢者等の円背の人の場合に、背をむりに伸ばさなくても測定を行い得るようにして、被測定者の負担を軽減することにある。【解決手段】被測定者の背部を押し当てられる受圧面を有し、前記受圧面に感圧センサ１ｃを設けられている、弾性的に圧縮可能なクッション１と、前記感圧センサ１ｃの出力信号を処理して、前記背部を押し当てた被測定者の体幹伸展筋力を求め、その結果を測定結果として出力するコントローラ２とを具えてなる、体幹伸展筋力測定装置である。【選択図】図１
2006263333.tif 000002
【特許請求の範囲】
【請求項１】
被測定者の背部を押し当てられる受圧面を有し、前記受圧面に感圧センサを設けられている、弾性的に圧縮可能なクッションと、
前記感圧センサの出力信号を処理して、前記背部を押し当てた被測定者の体幹伸展筋力を求め、その結果を測定結果として出力する測定結果出力手段と、
を具えてなる、体幹伸展筋力測定装置。
【請求項２】
前記クッションを被測定者の体に装着して、前記受圧面がその被測定者の背部に当接するようにするベルトを具える、請求項１記載の体幹伸展筋力測定装置。
【請求項３】
前記クッションの内部に充填された空気を外部放出可能に保持する弁手段を具える、請求項１または２記載の体幹伸展筋力測定装置。
【請求項４】
前記測定結果出力手段は、与えられた指示に応じて、
前記感圧センサの出力信号を処理して求めた被測定者の体幹伸展筋力の測定結果の値を出力する測定モードと、
前記感圧センサの出力信号を処理して求めた被測定者の体幹伸展筋力の測定結果の値とあらかじめ設定されたトレーニング目標値とを比較して前記測定結果の値が前記トレーニング目標値以上の場合にその旨を出力するトレーニングモードと、
を少なくとも含む複数種類の作動モードの何れかで動作する、
請求項１から３までの何れか記載の体幹伸展筋力測定装置。
【請求項５】
前記測定結果出力手段は、前記感圧センサの出力信号を処理して求めた、被測定者の背部により前記受圧面が受ける圧力の分布状態を出力する、請求項１から４までの何れか記載の体幹伸展筋力測定装置。
【発明の詳細な説明】
【技術分野】
【０００１】
この発明は、高齢者等の円背（背部が丸くなった状態）の被測定者の体幹伸展筋力の測定に用いて好適な体幹伸展筋力測定装置に関するものである。
【背景技術】
【０００２】
体幹伸展筋力のトレーニング装置としては従来、例えば非特許文献１記載の楽天市場が販売する商品名「ホームマルチジム：メガロス」等が公に知られており、このような体幹伸展筋力トレーニング装置のなかには、体幹伸展筋力の測定装置が付随しているものがある。
【非特許文献１】http://www.rakuten.co.jp/megalos/155492/289072/167210/のＵＲＬのホームページに２００５年３月２日に掲載
【発明の開示】
【発明が解決しようとする課題】
【０００３】
しかしながら上記のように体幹伸展筋力トレーニング装置に付随する測定装置は、比較的硬いパッドに被測定者が背中を押し付けることで筋力を測定する構成となっていることから、被測定者が高齢者等の円背の人の場合に、背を伸ばせないため被測定者の負担が大きいという問題や、作用点が主に肩甲帯にあるためどの部位が力を加えているか判りづらいという問題があった。
【課題を解決するための手段】
【０００４】
この発明は、上記課題を有利に解決する体幹伸展筋力測定装置を提供することを目的とするものであり、この発明の体幹伸展筋力測定装置は、被測定者の背部を押し当てられる受圧面を有し、前記受圧面に感圧センサを設けられている、弾性的に圧縮可能なクッションと、前記感圧センサの出力信号を処理して、前記背部を押し当てた被測定者の体幹伸展筋力を求め、その結果を測定結果として出力する測定結果出力手段と、を具えてなるものである。
【０００５】
かかる体幹伸展筋力測定装置にあっては、被測定者が、例えば壁面等に背部を向けて床等に座り、その背部と壁面等との間に前記クッションを挟んでそのクッションの受圧面に背部を押し付けると、クッションが、背部と壁面等との間で弾性的に圧縮されつつ感圧センサを背部に押し付け、これにより感圧センサが、背部から受ける圧力を検出して信号として出力し、測定結果出力手段が、その感圧センサの出力信号を処理して、背部を押し当てた被測定者の体幹伸展筋力を、例えば背部からの圧力の積分値や総和値等として求め、その求めた結果を測定結果として出力する。
【０００６】
従って、この発明の体幹伸展筋力測定装置によれば、被測定者が高齢者等の円背の人の場合に、円背に対応してクッションが弾性的に圧縮変形し、その変形状態で感圧センサが筋力による圧力を検出するので、背をむりに伸ばさなくても測定を行い得て、被測定者の負担を軽減することができる。
【０００７】
なお、この発明の体幹伸展筋力測定装置においては、前記クッションを被測定者の体に装着して、前記受圧面がその被測定者の背部に当接するようにするベルトを具えていると好ましい。かかるベルトを具えていれば、クッションの弾性的な圧縮変形で受圧面が被測定者の背部から外れてしまうのを防止し得て、運動機能に障害がある人でも安全かつ確実に筋力測定やトレーニングを行うことができる。
【０００８】
また、この発明の体幹伸展筋力測定装置においては、前記クッションの内部に充填された空気を外部放出可能に保持する弁手段を具えていると好ましい。かかる弁手段を具えていれば、クッション内部の空気を放出することでクッションを平たくたたんで当該装置の可搬性を高め、使用場所でクッション内部に空気を入れることで当該装置を容易に使用可能にすることができる。
【０００９】
さらに、この発明の体幹伸展筋力測定装置においては、前記測定結果出力手段は、与えられた指示に応じて、前記感圧センサの出力信号を処理して求めた被測定者の体幹伸展筋力の測定結果の値を出力する測定モードと、前記感圧センサの出力信号を処理して求めた被測定者の体幹伸展筋力の測定結果の値とあらかじめ設定されたトレーニング目標値とを比較して前記測定結果の値が前記トレーニング目標値以上の場合にその旨を出力するトレーニングモードと、を少なくとも含む複数種類の作動モードの何れかで動作するものであると好ましい。かかる測定結果出力手段によれば、測定モードを指示することで筋力測定を行えるだけでなく、トレーニングモードを指示するとともにトレーニング目標値を設定することで、円背の人でも、その設定値を達成するように筋力トレーニングを行うことができる。
【００１０】
さらに、この発明の体幹伸展筋力測定装置においては、前記測定結果出力手段は、前記感圧センサの出力信号を処理して求めた、被測定者の背部により前記受圧面が受ける圧力の分布状態を出力するものであると好ましい。かかる測定結果出力手段によれば、クッションの受圧面が受ける圧力の分布状態から、クッションに力を加えている背部の部位や高さを正確に知ることができるので、それを円背の矯正トレーニング等に役立てることができる。
【発明を実施するための最良の形態】
【００１１】
以下、本発明の実施の形態を実施例によって、図面に基づき詳細に説明する。ここに、図１は、この発明の体幹伸展筋力測定装置の一実施例の外観を示す斜視図、図２は、その実施例の体幹伸展筋力測定装置の構成を示す説明図、図３は、その実施例の体幹伸展筋力測定装置のクッションの、被測定者への装着状態を示す斜視図、図４は、その実施例の体幹伸展筋力測定装置の使用状態を模式的に示す説明図、そして図５は、その実施例の体幹伸展筋力測定装置による圧力分布の測定結果を例示する説明図であり、この実施例の体幹伸展筋力測定装置は、図１および図２に示すように、人の肩幅程度（例えば５０ｃｍ）の幅および高さとそれより小さめ（例えば３０ｃｍ）またはそれと同程度の厚さとを持つクッション１と、そのクッション１に接続された、測定結果出力手段としてのコントローラ２とを具えている。
【００１２】
ここにおけるクッション１は、図１に示すように、内部に空気を保持して所定寸法の矩形形状に膨らみ得るとともに、その空気を外部に放出すると折りたたみ可能となる例えばビニール製のエアバッグ１ａと、そのエアバッグ１ａの幅および高さ方向に延在する一面にその面に沿って一体的に設けられた例えばウレタンゴム等のどの部分でも均一なある程度の硬さを持つ弾性体製の薄い矩形のパッド１ｂと、そのパッド１ｂのエアバッグ１ａ側でなく反対の外側の面にパッド１ｂの略全面に亘って設けられてマトリックス状に各部分の圧力を検出する例えば感圧ゴム製の感圧センサ１ｃと、パッド１ｂのその外側の面に設けられるとともに中央部のバックル１ｄで互いに分離可能に連結し得る二本の肩掛けベルト１ｅとを有している。
【００１３】
一方、ここにおけるコントローラ２は、図２に示すように、クッション１のエアバッグ１ａ内にホース２ａおよび弁手段としての手動リリーフバルブ２ｂを介して空気を供給する電動エアポンプ２ｃと、通常のマイクロコンピュータ２ｄと、液晶画面を持つ表示部２ｅと、操作ボタンを持つ操作部２ｈと、図示しない例えば充電式の電池とを有しており、そのマイクロコンピュータ２ｄは、あらかじめ与えられたプログラムに基づき作動して制御部２ｆおよび測定部２ｇとして機能する。
【００１４】
ここで、制御部２ｆは、被測定者等の当該装置の利用者による操作部２ｈの操作に基づき、電源スイッチを入れられると例えば表示部２ｅにメニュー画面を表示して、そのメニュー画面で、エアバッグ１ａ内に空気を充填するスイッチ操作と、作動モードを、感圧センサ１ｃの出力信号を処理して求めた被測定者の体幹伸展筋力の測定結果の値を出力する測定モードと、感圧センサ１ｃの出力信号を処理して求めた被測定者の体幹伸展筋力の測定結果の値とあらかじめ設定されたトレーニング目標値とを比較して測定結果の値がトレーニング目標値以上の場合にその旨を出力するトレーニングモードとの二種類のモードのうちから選択するスイッチ操作とを案内し、エアバッグ１ａ内に空気を充填するスイッチ操作をされると、電動エアポンプ２ｃを作動させてエアバッグ１ａ内に所定空気圧になるまで空気を充填し、作動モードを選択するスイッチ操作をされると、測定モードを選択された場合は測定部２ｇに上記測定モードでの測定を行わせてその測定結果を表示部２ｅに表示させるとともにメモリ等に記憶し、トレーニングモードを選択された場合は先ずトレーニング目標値を上記利用者に入力（設定）させてそれを表示部２ｅに表示させるとともにメモリ等に記憶し、既に記憶している場合はその値を表示部２ｅに表示させるとともにスイッチ操作で変更可能とし、次いで測定部２ｇに上記トレーニングモードでの測定およびトレーニング目標値との比較を行わせてその結果を表示部２ｅに表示させるとともにメモリ等に記憶する。
【００１５】
そして、測定部２ｇは、クッション１の感圧センサ１ｃからのアナログ出力信号をデジタル信号に変換して、その出力信号から感圧センサ１ｃの各部が受けている圧力の程度を求め、その各部の圧力の感圧センサ１ｃ全体についての総和値を被測定者の体幹伸展筋力として求めるとともに、その各部の圧力に基づき感圧センサ１ｃ全体の圧力の分布状態を求め、その求めたデータを制御部２ｆおよび表示部２ｅに出力する。
【００１６】
かかる実施例の体幹伸展筋力測定装置を使用する際には、先ず、図３に示すように、被測定者（あるいはトレーニング者）Ｔが、クッション１の二本の肩掛けベルト１ｅを両肩にそれぞれ掛けてバックル１ｄでそれらの肩掛けベルト１ｅを繋ぐとともに、コントローラ２の操作部２ｈの電源スイッチを入れて表示部２ｅにメニュー画面を表示させ、次いで、エアバッグ１ａ内に未だ空気を充填していない場合はその操作部２ｈで空気を充填するスイッチ操作を行ってクッション１のエアバッグ１ａ内に所定空気圧まで空気を充填し、その後、操作部２ｈで作動メニューを選択するスイッチ操作を行ってから、図４に示すように、被測定者Ｔが、壁面Ｗ等に背部を向けて床Ｆ等に座り、その背部と壁面Ｗ等との間にクッション１を挟んでそのクッション１の感圧センサ１ｃを設けた受圧面に背部を押し付けると、クッション１が、図４中仮想線で示すように、背部と壁面Ｗ等との間で弾性的に圧縮されつつ感圧センサ１ｃをパッド１ｂで支持して背部に押し付け、これにより感圧センサ１ｃが、背部から受ける圧力Ｐを各部分で検出して部分毎の圧力を示す信号として出力し、コントローラ２が、その感圧センサ１ｃの出力信号を上記のように処理して、背部を押し当てた被測定者の体幹伸展筋力を、背部からの圧力の総和値等として求め、その求めた結果を測定結果として出力する。
【００１７】
従って、この実施例の体幹伸展筋力測定装置によれば、被測定者Ｔが高齢者等の円背の人の場合に、円背に対応してクッション１が弾性的に圧縮変形し、その変形状態で感圧センサ１ｃが筋力による圧力を検出するので、背をむりに伸ばさなくても測定を行い得て、被測定者Ｔの負担を軽減することができる。
【００１８】
また、この実施例の体幹伸展筋力測定装置によれば、クッション１を被測定者Ｔの体に装着して、クッション１の感圧センサ１ｃを設けた受圧面がその被測定者Ｔの背部に当接するようにする肩掛けベルト１ｅを具えているので、測定中やトレーニング中にクッション１の弾性的な圧縮変形で受圧面が被測定者Ｔの背部から外れてしまうのをその肩掛けベルト１ｅで防止し得て、運動機能に障害がある人でも安全かつ確実に筋力測定やトレーニングを行うことができる。
【００１９】
さらに、この実施例の体幹伸展筋力測定装置によれば、クッション１のエアバッグ１ａの内部に充填された空気を外部放出可能に保持する手動リリーフバルブ２ｂを具えているので、手動リリーフバルブ２ｂを操作してクッション１のエアバッグ１ａの内部の空気を大気中に放出することでクッション１を平たくたたんで当該装置の可搬性を高め、使用場所でクッション１のエアバッグ１ａの内部に空気を入れることで当該装置を容易に使用可能にすることができる。
【００２０】
さらに、この実施例の体幹伸展筋力測定装置によれば、コントローラ２が、与えられた指示に応じて、感圧センサ１ｃの出力信号を処理して求めた被測定者Ｔの体幹伸展筋力の測定結果の値を出力する測定モードと、感圧センサ１ｃの出力信号を処理して求めた被測定者Ｔの体幹伸展筋力の測定結果の値とあらかじめ設定されたトレーニング目標値とを比較して測定結果の値がトレーニング目標値以上の場合にその旨を出力するトレーニングモードとの二種類の作動モードの何れかで動作するので、測定モードを指示することで筋力測定を行えるだけでなく、トレーニングモードを指示するとともにトレーニング目標値を設定することで、円背の人でも、その設定値を達成するように筋力トレーニングを行うことができる。
【００２１】
さらに、この実施例の体幹伸展筋力測定装置によれば、感圧センサ１ｃが、どの部分でも均一なある程度の硬さを持つパッド１ｂで支持されて、被測定者Ｔの背部により受ける当該感圧センサ１ｃの各部分の圧力の程度を判別可能に出力信号として出力し、コントローラ２が、感圧センサ１ｃの出力信号を処理して求めた、クッション１の感圧センサ１ｃを設けた受圧面が被測定者Ｔの背部により受ける圧力の程度の分布状態を、例えば図５に示すように、表示部２ｅにより画面表示することから、そのクッション１の受圧面が受ける圧力の分布状態により、クッション１に力を加えている背部の部位や高さを正確に知ることができるので、それを円背の矯正トレーニング等に役立てることができる。なお、図５中ＰＰは圧力が所定値以上の部分を示す点であり、その点ＰＰの集合のうちＳで示す部分は被測定者Ｔの肩甲帯に対応している。
【００２２】
以上、図示例に基づき説明したが、この発明は上述の例に限定されるものでなく、特許請求の範囲の記載範囲内で適宜変更し得るものであり、例えば、コントローラ２を、測定モードのみで作動する（すなわち測定装置のみを構成する）ものや、トレーニングモードのみで作動する（すなわちトレーニングマシンのみを構成する）ものとしても良く、さらに他の作動モードでも作動し得るものとしても良い。また、クッション１とコントローラ２とを、ホースカプラと電気コネクタとを介して分離可能に接続しても良い。さらに、コントローラ２の代わりに、電動ポンプや手動あるいは足踏みポンプとノート型等の通常のパーソナルコンピュータとを組合せて用いても良い。そしてクッション１は、壁面Ｗに背部を向けて床Ｆに座った被測定者Ｔがその背部と壁面Ｗとの間に挟んで押す代わりに、椅子に座った被測定者Ｔがその背部と椅子の背凭れとの間に挟んで押したり、床やベンチ等の上で背臥位となった被測定者Ｔがその背部と床やベンチ等との間に挟んで押したりしても良い。
【産業上の利用可能性】
【００２３】
かくしてこの発明の体幹伸展筋力測定装置によれば、被測定者が高齢者等の円背の人の場合に、円背に対応してクッションが弾性的に圧縮変形し、その変形状態で感圧センサが筋力による圧力を検出するので、背をむりに伸ばさなくても測定を行い得て、被測定者の負担を軽減することができる。
【図面の簡単な説明】
【００２４】
【図１】この発明の体幹伸展筋力測定装置の一実施例の外観を示す斜視図である。
【図２】上記実施例の体幹伸展筋力測定装置の構成を示す説明図である。
【図３】上記実施例の体幹伸展筋力測定装置のクッションの、被測定者への装着状態を示す斜視図である。
【図４】上記実施例の体幹伸展筋力測定装置の使用状態を模式的に示す説明図である。
【図５】上記実施例の体幹伸展筋力測定装置による圧力分布の測定結果を例示する説明図である。
【符号の説明】
【００２５】
１  クッション
１ａ  エアバッグ
１ｂ  パッド
１ｃ  感圧センサ
１ｄ  バックル
１ｅ  肩掛けベルト
２  コントローラ
２ａ  ホース
２ｂ  手動リリーフバルブ
２ｃ  電動エアポンプ
２ｄ  マイクロコンピュータ
２ｅ  表示部
２ｆ  制御部
２ｇ  測定部
２ｈ  操作部
Ｆ  床
Ｐ  圧力
ＰＰ  圧力が所定値以上の部分を示す点
Ｓ  肩甲帯
Ｔ  被測定者
Ｗ  壁面
【図１】
2006263333.tif 000003
【図２】
2006263333.tif 000004
【図３】
2006263333.tif 000005
【図４】
2006263333.tif 000006
【図５】
2006263333.tif 000007